(57)【要約】【課題】  本発明は、意匠性に優れる蓋材及び缶バッジとこれらの製造方法とを提供する。【解決手段】  金属板を打ち抜いて金属板に絞り加工を施す絞り加工固定を備え、絞り加工固定において、金属板は、天面部１２と、天面部１２の外周に連続して天面部１２の一方の面側に立設する側面部１８と、を有するように成型され、天面部１２は、側面部１８とは反対側に凸となると共に、平面視において外周が中心に向かって凹んだ凹部１４を有するように成型され、天面部１２のうち凹部１４と中心との間に、側面部１８側に凹むと共に凹部１４に沿う方向に延在する凹面部１６，１７が成型される。【選択図】  図３
2018029818.tif 000002
【特許請求の範囲】
【請求項１】
金属板を打ち抜いて前記金属板に絞り加工を施す打ち抜き成型工程を備え、
前記打ち抜き成型工程において、
前記金属板は、天面部と、前記天面部の外周に連続して前記天面部の一方の面側に立設する側面部と、を有する形状に成型され、
前記天面部は、前記側面部とは反対側に凸となると共に、平面視において外周が中心側に凹んだ凹部を有する形状に成型され、
前記天面部のうち前記凹部と前記中心との間に、前記側面部側に凹むと共に前記凹部に沿う方向に延在する凹面部が成型される
ことを特徴とする蓋材の製造方法。
【請求項２】
前記天面部の前記凹部と前記中心との間に、前記凹面部が複数成型される
ことを特徴とする請求項１に記載の蓋材の製造方法。
【請求項３】
複数の前記凹面部のうち前記凹部側に成型される前記凹面部は、前記中心側に成型される前記凹面部よりも幅が狭く成型される
ことを特徴とする請求項２に記載の蓋材の製造方法。
【請求項４】
前記凹部と前記中心とを結ぶ線に沿う厚さ方向断面において、複数の前記凹面部のうち前記凹部側に成型される前記凹面部は、前記中心側に成型される前記凹面部よりも曲率半径が小さい曲面状に成型される
ことを特徴とする請求項２または３に記載の蓋材の製造方法。
【請求項５】
前記天面部は、平面視においてハート型となるように成型される
ことを特徴とする請求項１から４のいずれか１項に記載の蓋材の製造方法。
【請求項６】
天面部と、前記天面部の外周に連続して前記天面部の一方の面側に立設する側面部と、を備え、
前記天面部は、前記側面部とは反対側に凸である共に、平面視において外周が中心側に凹んだ凹部を有し、
前記天面部のうち前記凹部と前記中心との間に、前記側面部側に凹むと共に前記凹部に沿う方向に延在する凹面部を有する
ことを特徴とする蓋材。
【請求項７】
請求項１から５のいずれか１項の蓋材の製造方法によって蓋材を製造する工程と、
前記天面部と前記側面部とで形成される空間を覆うように、裏蓋を前記側面部にかしめて固定するかしめ工程と、
を備えることを特徴とする缶バッジの製造方法。
【請求項８】
請求項６に記載の蓋材と、
前記天面部と前記側面部とで形成される空間を覆うように、前記側面部にかしめて固定される裏蓋と、
を備える
ことを特徴とする缶バッジ。
【発明の詳細な説明】
【技術分野】
【０００１】
本発明は、絞り加工を施して作製される蓋材及び当該蓋材を備える缶バッジとこれらの製造方法とに関する。
【背景技術】
【０００２】
延性及び展性に富む金属板は、その性質を利用して絞り加工が施され、容器の蓋材等に用いられる。また、このような蓋材は、裏蓋と組わせて缶バッジ等にも用いられる。例えば、下記特許文献１には、このような缶バッジに関する技術が開示されている。
【先行技術文献】
【特許文献】
【０００３】
【特許文献１】特開２００１−１０４０２０号公報
【発明の概要】
【発明が解決しようとする課題】
【０００４】
金属板に絞り加工を施して作製される蓋材は、天面部と天面部の外周に連続して天面部の一方の面側に立設する側面部とを有する形状に成型される。従来の絞り加工によって作製される蓋材の天面部の平面視における外周の形状は、一般的に、上記特許文献１に開示されている缶バッジのような円形等の形状である。蓋材の平面視における外周がこのような形状とされることによって、絞り加工の際に側面部が均一に延ばされ易くなり、側面部に意図せず皺ができることを抑制し易くなる。一方、平面視における天面部の外周が中心側に凹んだ凹部を有する場合、絞り加工を施した際に側面部のうち当該凹部近傍に皺が形成され易くなる。
【０００５】
しかし、意匠性の向上等の観点からは、ハート型や星型のように、天面部の平面視における外周が凹部を有する形状の蓋材も望まれている。
【０００６】
そこで、本発明は、意匠性に優れる蓋材及び缶バッジとこれらの製造方法とを提供しようとするものである。
【課題を解決するための手段】
【０００７】
上記課題を解決するため、本発明の蓋材の製造方法は、金属板を打ち抜いて前記金属板に絞り加工を施す打ち抜き成型工程を備え、前記打ち抜き成型工程において、前記金属板は、天面部と、前記天面部の外周に連続して前記天面部の一方の面側に立設する側面部と、を有する形状に成型され、前記天面部は、前記側面部とは反対側に凸となると共に、平面視において外周が中心側に凹んだ凹部を有する形状に成型され、前記天面部のうち前記凹部と前記中心との間に、前記側面部側に凹むと共に前記凹部に沿う方向に延在する凹面部が成型されることを特徴とする。
【０００８】
平面視において、天面部が中心に向かって凹んでいる凹部を有する形状としては、ハート型や星型等を挙げることができる。天面部をこのような形状とする場合、当該凹部の両側は中心から外側に向かって凸となる。この凸となる部位に連続して形成される側面部は、側面部の他の部位よりも延ばされ易くなる。このため、凸となる部位に連続して形成される側面部で延ばされた金属は凹部側に押され、凹部に連続して形成される側面部に皺が形成されやすくなる。そこで、上記本発明の蓋材の製造方法では、天面部のうち凹部と中心との間、すなわち天面部のうち凹部の近傍に凹面部が成型される。これにより、絞り加工が施される際に上記のように凹部側に押される金属は、凹面部の成型に費やされる。その結果、凹部に連続して形成される側面部に皺が形成されることを抑制することができる。このように、上記蓋材の製造方法によれば、皺が形成されることを抑制しつつ、天面部の平面視における外周が凹部を有する形状の蓋材を製造することができる。また、上記のように皺の形成が抑制されることによって、皺の形成を抑制しつつ深く絞り加工を施ことが容易になる。すなわち、皺の形成を抑制しつつ側面部の厚さを大きくすることができる。このように、本発明の蓋材の製造方法によれば、意匠性に優れる蓋材を製造することができる。
【０００９】
また、上記蓋材の製造方法において、前記天面部の前記凹部と前記中心との間に、前記凹面部が複数成型されることが好ましい。この場合、複数の前記凹面部のうち前記凹部側に成型される前記凹面部は、前記中心側に成型される前記凹面部よりも幅が狭く成型されることが好ましい。また、前記凹部と前記中心とを結ぶ線に沿う厚さ方向断面において、複数の前記凹面部のうち前記凹部側に成型される前記凹面部は、前記中心側に成型される前記凹面部よりも曲率半径が小さい曲面状に成型されることが好ましい。
【００１０】
凹面部が複数成型されることによって、上記のように絞り加工を施す際に凹部側に押される金属を凹面部の成型に費やしやすくなる。そのため、凹部に連続する側面部に皺が形成されることをより抑制し易くなる。また、凹面部の曲率半径が小さくされることによって、平面視における狭い範囲において表面積が大きな凹面部を成型することができる。すなわち、多くの金属を凹面部の成型に費やし易くなる。複数の凹面部のうち凹部側に成型される凹面部の曲率半径が小さくされることによって、絞り加工を施す際に凹部側に押されてくる金属のうちの多くを、蓋材のうち目立ち難い外周側の凹面部の成型に費やすことができるので、蓋材の意匠性の低下を抑制することができる。
【００１１】
また、上記蓋材の製造方法によれば、平面視における前記天面部の形状をハート型とすることができる。
【００１２】
また、本発明の蓋材は、天面部と、前記天面部の外周に連続して前記天面部の一方の面側に立設する側面部と、を備え、前記天面部は、前記側面部とは反対側に凸である共に、平面視において外周が中心側に凹んだ凹部を有し、前記天面部のうち前記凹部と前記中心との間に、前記側面部側に凹むと共に前記凹部に沿う方向に延在する凹面部を有することを特徴とする。
【００１３】
このような蓋材によれば、上記のように絞り加工を施して作製する際に皺の形成が抑制される。したがって、意匠性に優れる蓋材とすることができる。
【００１４】
また、本発明の缶バッジの製造方法は、上記蓋材の製造方法によって蓋材を製造する工程と、前記天面部と前記側面部とで形成される空間を覆うように、裏蓋を前記側面部にかしめて固定するかしめ工程と、を備えることを特徴とする。
【００１５】
蓋材が上記のように凹面部を有することによって、蓋材に裏蓋をかしめて固定する際に蓋材に加えられる力を凹面部が撓むことによってやわらげ易くなる。このため、蓋材に裏蓋をかしめて固定する際に蓋材の変形を抑制することができる。したがって、意匠性に優れる缶バッジを製造することができる。また、上記のように蓋材の側面部の厚さを大きく成型することができるので、厚みのある意匠性に富んだ缶バッジを製造することができる。
【００１６】
また、本発明の缶バッジは、上記蓋材と、前記天面部と前記側面部とで形成される空間を覆うように、前記側面部にかしめて固定される裏蓋と、を備えることを特徴とする。
【００１７】
上記缶バッジは、上述した意匠性に優れる蓋材を備える。また、蓋材が上記のように凹面部を有することによって、蓋材に裏蓋をかしめて固定する際に蓋材に加えられる力を凹面部が撓むことによってやわらげ易くなる。このため、蓋材に裏蓋をかしめて固定する際に蓋材の変形を抑制することができる。したがって、上記缶バッジは意匠性に優れる。
【００１８】
以上のように、本発明によれば、意匠性に優れる蓋材及び缶バッジとこれらの製造方法とが提供される。
【図面の簡単な説明】
【００１９】
【図１】本発明の実施形態に係る缶バッジの平面図である。
【図２】図１に示す缶バッジのＩＩ−ＩＩ線における断面図である。
【図３】図１に示す缶バッジの斜視図である。
【図４】缶バッジの製造方法を示すフローチャートである。
【図５】本発明の実施形態に係る蓋材を示す断面図である。
【発明を実施するための形態】
【００２０】
以下、本発明に係る蓋材の製造方法、蓋材、及び缶バッジの好適な実施形態について図面を参照しながら詳細に説明する。
【００２１】
図１は、本発明の実施形態に係る缶バッジを示す平面図である。図２は、図１に示す缶バッジのＩＩ−ＩＩ線における断面図である。図３は、図１に示す缶バッジの斜視図である。なお、図１から図３は缶バッジを概略的に示す図であり、各構成要素の大きさは誇張して示される場合がある。
【００２２】
図２に示すように、缶バッジ１は蓋材１０と裏蓋２０とを備える。
【００２３】
蓋材１０は、天面部１２と天面部１２の外周に連続して天面部１２の一方の面側に立設する側面部１８とを有している。図１に示すように、平面視における天面部１２の外周は、天面部１２の中心に向かって凹んだ凹部１４を有するハート型である。また、図２に示すように、天面部１２の形状は、側面部１８とは反対側に全体的に凸となる曲面状であり、パンケーキ状に厚みのあるふっくらとした形状とされる。ただし、天面部１２のうち凹部１４と天面部１２の中心との間には、側面部１８側に凹んだ第１の凹面部１６及び第２の凹面部１７が成型される。第１の凹面部１６及び第２の凹面部１７は、それぞれ凹部１４に沿う方向に成型される。これら複数の凹面部１６，１７のうち凹部１４側に成型される第１の凹面部１６の幅Ｗ１は、天面部１２の中心側に形成される第２の凹面部１７の幅Ｗ２よりも小さい。また、図２からわかるように、凹部１４と天面部１２の中心とを結ぶ線に沿う厚さ方向断面において、第１の凹面部１６は、第２の凹面部１７よりも曲率半径が小さい曲面状に成型される。
【００２４】
裏蓋２０は、天面部１２と側面部１８とで形成される空間を覆うように、側面部１８の端部にかしめて固定される。平面視における裏蓋２０の外形は、天面部１２が一回り小さくされた形状である。また、裏蓋２０のうち蓋材１０とは反対側の面には、安全ピン３０が取り付けられる。この安全ピン３０によって、缶バッジ１を衣料品や鞄等に取り付けることができる。
【００２５】
次に、缶バッジ１の製造方法について説明する。図４は、缶バッジ１の製造方法を示すフローチャートである。缶バッジ１は、打ち抜き成型工程Ｐ１及びかしめ工程Ｐ２を経て製造される。
【００２６】
打ち抜き成型工程Ｐ１では、蓋材１０が製造される。打ち抜き成型工程Ｐ１において製造される蓋材１０の断面を図５に示す。図５は、図２と同様の視点で蓋材１０の断面を概略的に示す図である。
【００２７】
打ち抜き成型工程Ｐ１は、金属板を打ち抜いて当該金属板に絞り加工を施すことによって蓋材１０を製造する工程である。打ち抜き成型工程Ｐ１において、金属板は、上記のような天面部１２と側面部１８とを有する形状に成型される。この打ち抜き及び絞り加工は、プレス機を用いて連続的に行われる。すなわち、金型を用いて一度のプレスで、打ち抜きとプレスとを連続して行うのである。
【００２８】
天面部１２が凹面部１６，１７を有するように成型されることによって、以下に説明するように、打ち抜き成型工程Ｐ１において蓋材１０に皺が形成されることが抑制される。
【００２９】
平面視において、天面部１２が中心に向かって凹んでいる凹部１４を有する形状とされる場合、当該凹部１４の両側は中心から外側に向かって凸となる。この凸となる部位に連続して形成される側面部１８ａ，１８ｂは、天面部１２のうち他の部位に連続して形成される側面部よりも図３に示す破線矢印の方向に延ばされ易くなる。このため、凸となる部位に連続して形成される側面部１８ａ，１８ｂで延ばされた金属は凹部１４側に押され、凹部１４に連続して形成される側面部１８ｃに皺が形成されやすくなる。
【００３０】
そこで、打ち抜き成型工程Ｐ１では、天面部１２のうち凹部１４と天面部１２の中心との間、すなわち天面部１２のうち凹部１４の近傍に凹面部１６，１７が成型される。これにより、絞り加工が施される際に上記のように凹部１４側に押される金属は、凹面部１６，１７の成型に費やされる。その結果、凹部１４に連続して形成される側面部１８ｃに皺が形成されることを抑制することができる。このとき、成型を行う速度が遅い方が設計値からずれた形状となることを抑制できる観点から好ましい。従って、プレス機を用いて、個別に手作業で打ち抜き成型を行うことが好ましい。このように、打ち抜き成型工程Ｐ１では、皺の形成が抑制されつつ、天面部１２の平面視における外周が凹部を有する形状の蓋材１０が製造される。また、上記のように皺の形成が抑制されることによって、皺の形成を抑制しつつ深く絞り加工を施ことが容易になる。すなわち、皺の形成を抑制しつつ側面部１８の厚さを大きくすることができる。このように、打ち抜き成型工程Ｐ１では、意匠性に優れる蓋材１０が製造される。
【００３１】
また、本実施形態の蓋材１０は、複数の凹面部１６，１７が成型されることによって、上記のように凹部１４側に押される金属を凹面部１６，１７の成型に費やしやすくなる。そのため、凹部１４に連続する側面部１８ｃに皺が形成されることをより抑制し易くなる。また、凹面部の曲率半径が小さくされることによって、平面視における狭い範囲において表面積が大きな凹面部を成型することができる。すなわち、多くの金属を凹面部の成型に費やし易くなる。ここで、複数の凹面部１６，１７のうち凹部１４側に成型される第１の凹面部１６の曲率半径が小さくされることによって、絞り加工を施す際に凹部１４側に押されてくる金属のうち多くを、蓋材１０のうち目立ち難い外周側の第１の凹面部１６の成型に費やすことができるので、蓋材１０の意匠性の低下を抑制することができる。
【００３２】
上記のように蓋材１０を製造した後、かしめ工程Ｐ２を経て、缶バッジ１が製造される。かしめ工程Ｐ２では、蓋材１０の側面部１８の端部と裏蓋２０の外周部とがかしめて固定される。かしめ工程Ｐ２においては、図２に示すように、プレス機を用いて蓋材１０の側面部１８の縁近傍を内側に折曲げ加工することで、蓋材１０を裏蓋２０にかしめる。このとき、かしめる速度が遅い方が蓋材１０のパンケーキ状のふっくらとした形状を崩しづらいため好ましい。従って、プレス機を用いて、個別に手作業でかしめ工程Ｐ２を行うことが好ましい。
【００３３】
本実施形態では、蓋材１０が上記のように凹面部１６，１７を有することによって、かしめ工程Ｐ２において蓋材１０と裏蓋２０とがかしめて固定される際、蓋材１０に加えられる力を凹面部１６，１７が撓むことによってやわらげ易くなる。したがって、かしめ工程Ｐ２の前よりも後の方が、凹面部１６，１７は深い凹みとなる。このように凹面部１６，１７が撓むことによって、蓋材１０と裏蓋２０とをかしめて固定する際に蓋材１０の凹面部１６，１７以外の部位の変形が抑制される。したがって、意匠性に優れる缶バッジ１とすることができる。また、上記のように蓋材１０の側面部１８の厚さを大きく成型することができるので、厚みのある意匠性に富んだ缶バッジ１とすることができる。
【００３４】
以上、本発明について好適な実施形態を例に説明したが、本発明はこれに限定されるものではない。
【００３５】
例えば、上記実施形態では、天面部１２の外周がハート型である例を挙げて説明したが、天面部の外周形状は、天面部の中心に向かって凹んだ凹部を有する形状であれば特に限定されない。例えば、天面部の平面視における形状は、星形等であってもよい。
【００３６】
また、上記実施形態では、蓋材１０が缶バッジ１の一部として用いられる例を挙げて説明したが、本発明の蓋材の用途はこれに限定されず、例えば有底筒状の容器等の蓋として用いることもできる。
【００３７】
また、上記実施形態では、第１の凹面部１６及び第２の凹面部１７が成型される例を挙げて説明したが、凹面部の数は特に限定されない。
【００３８】
また、上記実施形態では、金属板から蓋材を打ち抜く工程と成型する工程とを同時に行ったが、これらの工程は別々に行われても良い。
【符号の説明】
【００３９】
１・・・缶バッジ
１０・・・蓋材
１２・・・天面部
１４・・・凹部
１６・・・第１の凹面部
１７・・・第２の凹面部
１８・・・側面部
２０・・・裏蓋
３０・・・安全ピン
【図１】
2018029818.tif 000003
【図２】
2018029818.tif 000004
【図３】
2018029818.tif 000005
【図４】
2018029818.tif 000006
【図５】
2018029818.tif 000007